(57)【特許請求の範囲】
【請求項１】
複数の走査線と、
複数のデータ線と、
前記複数の走査線と前記複数のデータ線との交差に対応して設けられた複数の画素と、
１フレームの期間に第１期間と第２期間を有し、前記第１期間において前記複数の走査線を所定の順番で選択する走査線駆動回路と、
前記複数の走査線のうち、本選択された走査線に対応する画素に対し、当該画素の階調に応じた電圧のデータ信号を、前記データ線を介して供給するデータ線駆動回路と、
を有し、
前記複数の画素の各々は、
一端が前記データ線に接続されるとともに、前記走査線が選択されたときに前記一端と他端との間でオン状態となる画素スイッチング素子と、
一端が前記画素スイッチング素子の他端に接続され、他端が共通電極に接続された画素容量と、
一端が前記画素スイッチング素子の他端に接続され、他端が容量線に接続された蓄積容量と、
を含む電気光学装置の駆動方法であって、
一の走査線に対応する画素容量に対し、
前記第１期間の開始から当該一の走査線を本選択する前まで、黒表示とさせる電圧を保持させ、
前記第１期間において当該一の走査線を本選択したときに、前記データ信号の電圧に所定電圧を加えた電圧を書き込む、ことで引き続き黒表示とし、
前記１フレームの期間のうち、前記第１期間よりも時間的に後方となる前記第２期間において前記共通電極および前記容量線のうち少なくとも一方を電圧変化させる、ことで実像表示を行う
ことを特徴とする電気光学装置の駆動方法。
【請求項２】
前記第１期間において最初の走査線を本選択したときに、他の走査線も選択し、
当該他の走査線に対応する画素容量に対し、前記黒表示とさせる電圧を保持させる
ことを特徴とする請求項１に記載の電気光学装置の駆動方法。
【請求項３】
前記第１期間のはじめに前記複数の走査線をすべて選択し、この後、前記複数の走査線を所定の順番で本選択し、
前記複数の走査線をすべて選択したときに、すべての画素容量に対し、前記黒表示とさせる電圧を保持させる
ことを特徴とする請求項１に記載の電気光学装置の駆動方法。
【請求項４】
前記容量線を、奇数行目の走査線に対応するものと、偶数行目の走査線に対応するものとに分け、
前記第１期間において奇数行目の走査線を最初に本選択したときに、他の奇数行目の走査線も選択し、当該他の奇数行目の走査線に対応する画素容量に対し、前記黒表示とさせる電圧を保持させ、
前記第１期間において偶数行目の走査線を最初に本選択したときに、他の偶数行目の走査線も選択し、当該他の偶数行目の走査線に対応する画素容量に対し、前記黒表示とさせる電圧を保持させ、
前記第１期間において、
奇数行目の走査線を本選択したとき、前記共通電極を低位側電圧または高位側電圧のいずれか一方とし、偶数行目の走査線を本選択したとき、前記共通電極を前記低位側電圧または前記高位側電圧のいずれか他方とし、
一の走査線を本選択したときに、
前記共通電極を前記低位側電圧にした場合、前記データ信号を前記低位側電圧よりも高位側の電圧とし、前記共通電極を前記高位側電圧にした場合、前記データ信号を前記高位側電圧よりも低位側の電圧とする
ことを特徴とする請求項１に記載の電気光学装置の駆動方法。
【請求項５】
前記容量線および前記共通電極を、それぞれ奇数行目の走査線に対応するものと、偶数行目の走査線に対応するものとに分け、
前記第１期間において奇数行目の走査線を最初に本選択したときに、他の奇数行目の走査線も選択し、当該他の奇数行目の走査線に対応する画素容量に対し、前記黒表示とさせる電圧を保持させ、
前記第１期間において偶数行目の走査線を最初に本選択したときに、他の偶数行目の走査線も選択し、当該他の偶数行目の走査線に対応する画素容量に対し、前記黒表示とさせる電圧を保持させ、
前記第１期間において、
奇数行目に対応する共通電極を低位側電圧または高位側電圧のいずれか一方とし、偶数行目に対応する共通電極を前記低位側電圧または前記高位側電圧のいずれか他方とし、
当該奇数行目の共通電極を前記低位側電圧にした場合、当該奇数行目の走査線を本選択したときの前記データ信号を前記低位側電圧よりも高位側の電圧とし、当該奇数行目の共通電極を前記高位側電圧にした場合、当該奇数行目の走査線を本選択したときの前記データ信号を前記高位側電圧よりも低位側の電圧とし、
当該偶数行目の共通電極を前記低位側電圧にした場合、当該偶数行目の走査線を本選択したときの前記データ信号を前記低位側電圧よりも高位側の電圧とし、当該偶数行目の共通電極を前記高位側電圧にした場合、当該偶数行目の走査線を本選択したときの前記データ信号を前記高位側電圧よりも低位側の電圧とする
ことを特徴とする請求項１に記載の電気光学装置の駆動方法。
【請求項６】
前記容量線を、前記複数の走査線のそれぞれに対応させ、
前記共通電極を所定の基準電位に保ち、
前記データ信号の電圧を、
奇数行目の走査線を本選択するときに前記基準電位よりも高位側または低位側のいずれか一方とし、偶数行目の走査線を本選択するときに前記高位側または前記低位側のいずれか他方とし、
前記奇数行目の走査線を本選択するときに前記データ信号の電圧を前記高位側とするのであれば、当該本選択する奇数行目の容量線を、低位側電圧とし、当該奇数行目の走査線の本選択が終了したときに高位側電圧に切り替える一方、
前記奇数行目の走査線を本選択するときに前記データ信号の電圧を前記低位側とするのであれば、当該本選択する奇数行目の容量線を、前記高位側電圧とし、当該奇数行目の走査線の本選択が終了したときに前記低位側電圧に切り替え、
前記偶数行目の走査線を本選択するときに前記データ信号の電圧を前記低位側とするのであれば、当該本選択する偶数行目の容量線を、前記高位側電圧とし、当該偶数行目の走査線の本選択が終了したときに前記低位側電圧に切り替え、
前記偶数行目の走査線を本選択するときに前記データ信号の電圧を前記高位側とするのであれば、当該本選択する偶数行目の容量線を、前記低位側電圧とし、当該偶数行目の走査線の本選択が終了したときに前記高位側電圧に切り替える
ことを特徴とする請求項１に記載の電気光学装置の駆動方法。
【請求項７】
複数の走査線と、
複数のデータ線と、
前記複数の走査線と前記複数のデータ線との交差に対応して設けられ、各々は、
一端が前記データ線に接続されるとともに、前記走査線が選択されたときに前記一端と他端との間でオン状態となる画素スイッチング素子と、
一端が前記画素スイッチング素子の他端に接続され、他端が共通電極に接続された画素容量と、
一端が前記画素スイッチング素子の他端に接続され、他端が容量線に接続された蓄積容量と、
を含む画素と、
１フレームの期間に第１期間と第２期間を有し、前記第１期間において前記複数の走査線を所定の順番で選択する走査線駆動回路と、
前記複数の走査線のうち、本選択された走査線に対応する画素に対し、当該画素の階調に応じた電圧のデータ信号を、前記データ線を介して供給するデータ線駆動回路と、
一の走査線に対応する画素容量に対し、
前記第１期間の開始から当該一の走査線を本選択する前まで、黒表示とさせる電圧を保持させ、
前記第１期間において当該一の走査線を本選択したときに、前記データ信号の電圧に所定電圧を加えた電圧を書き込む、ことで引き続き黒表示とし、
前記１フレームの期間のうち、前記第１期間よりも時間的に後方となる前記第２期間において前記共通電極および前記容量線のうち少なくとも一方を電圧変化させる、ことで実像表示を行うように制御する制御回路と、
を具備することを特徴とする電気光学装置。
【請求項８】
請求項７に記載の電気光学装置を有する
ことを特徴とする電子機器。
【発明の詳細な説明】
【技術分野】
【０００１】
本発明は、いわゆるホールド型の表示装置の動画ぼやけ感を抑える技術に関する。
【背景技術】
【０００２】
アクティブマトリクス型の液晶装置などの電気光学装置は、１フレームの期間（１６．
７ミリ秒）にわたって映像が保持されるホールド型である。このため、次のフレームに移
行したとき、前のフレームの映像を視覚したときの記憶が残存するために、前後のフレー
ムにおいて表示される映像に動きがあれば、その動き領域が、ぎくしゃくしたり、輪郭が
ぼやけたりして知覚される（動画ぼやけ感の発生）。
一方、ＣＲＴのように画像が瞬間的に表示されるインパルス型の表示装置では、前フレ
ームで表示させた画像の記憶が、次フレームに移行したときには、もはや残存していない
ので、動画ぼやけ感は発生しない。そこで、ホールド型の電気光学装置においては、イン
パルス型の表示態様に似せるべく、線順次的に映像に応じた電圧を画素に書き込んで、映
像を表示し、この後、容量線の電圧を変化させて、全画素に黒色電圧を書き込んで黒色画
像を表示する技術が提案されている（特許文献１参照）。
【特許文献１】特開２００４−４６２３５号公報
【発明の開示】
【発明が解決しようとする課題】
【０００３】
ここで、動画ぼやけ感を、より確実に抑えるためには、黒色画像の表示期間を長くすれ
ば良い。しかしながら、上記技術では、黒色画像の表示期間を長くするためには、画素へ
の書き込みを高速化することにより映像表示の期間を短縮するとともに、短縮分を黒色画
像の表示期間に割り当てるしか手だてがない。画素への書き込みを高速化すると、構成が
複雑化したり、消費電力が大きくなったりするので、低消費電力化等の要求が強い分野の
電子機器には採用できない、という問題がある。
本発明は、このような事情に鑑みてなされたもので、その目的の１つは、画素への書き
込みを高速化することなく、黒色画像の表示期間を長くして、動画ぼやけ感を抑えること
が可能な電気光学装置、駆動方法および電子機器を提供することにある。
【課題を解決するための手段】
【０００４】
上記目的を達成するために、本発明に係る電気光学装置の駆動方法は、複数の走査線と
、複数のデータ線と、前記複数の走査線と前記複数のデータ線との交差に対応して設けら
れた複数の画素と、１フレームの期間のうち、第１期間において前記複数の走査線を所定
の順番で選択する走査線駆動回路と、前記複数の走査線のうち、本選択された走査線に対
応する画素に対し、当該画素の階調に応じた電圧のデータ信号を、前記データ線を介して
供給するデータ線駆動回路と、を有し、前記複数の画素の各々は、一端が前記データ線に
接続されるとともに、前記走査線が選択されたときに前記一端と他端との間でオン状態と
なる画素スイッチング素子と、一端が前記画素スイッチング素子の他端に接続され、他端
が共通電極に接続された画素容量と、一端が前記画素スイッチング素子の他端に接続され
、他端が容量線に接続された蓄積容量と、を含む電気光学装置の駆動方法であって、一の
走査線に対応する画素容量に対し、前記第１期間の開始から当該一の走査線を本選択する
前まで、黒表示とさせる電圧を保持させ、前記第１期間において当該一の走査線を本選択
したときに、前記データ信号の電圧に所定電圧を加えた電圧を書き込み、前記１フレーム
の期間のうち、前記第１期間よりも時間的に後方の第２期間において前記共通電極および
前記容量線のうち少なくとも一方を電圧変化させることを特徴とする。
本発明によれば、各画素が、複数の走査線を所定の順番で選択する第１期間において黒
潜像表示となり、次の第２期間において階調に応じた実像表示となるので、画素への書き
込みを高速化することなく、黒色画像の表示期間を長くすることができる。なお、本選択
の意味については後述する。
【０００５】
本発明において、前記第１期間において最初の走査線を本選択したときに、他の走査線
も選択し、当該他の走査線に対応する画素容量に対し、前記黒表示とさせる電圧を保持さ
せても良い。この方法によれば、最初の走査線を本選択したときに、同時に他の走査線に
対応する画素容量に黒表示とさせる電圧を書き込むので、第１期間のはじめに複数の走査
線をすべて選択し、この後、複数の走査線を所定の順番で本選択する方法と比較して、走
査線の選択回数を減らすことができる。
一方、本発明において、前記第１期間のはじめに前記複数の走査線をすべて選択し、こ
の後、前記複数の走査線を所定の順番で本選択し、前記複数の走査線をすべて選択したと
きに、すべての画素容量に対し、前記黒表示とさせる電圧を保持させても良い。この方法
によれば、最初の走査線を選択したときだけ容量負荷が大きくなるのを防止することがで
きる。
【０００６】
本発明において、前記容量線を、奇数行目の走査線に対応するものと、偶数行目の走査
線に対応するものとに分け、前記第１期間において奇数行目の走査線を最初に本選択した
ときに、他の奇数行目の走査線も選択し、当該他の奇数行目の走査線に対応する画素容量
に対し、前記黒表示とさせる電圧を保持させ、前記第１期間において偶数行目の走査線を
最初に本選択したときに、他の偶数行目の走査線も選択し、当該他の偶数行目の走査線に
対応する画素容量に対し、前記黒表示とさせる電圧を保持させ、前記第１期間において、
奇数行目の走査線を本選択したとき、前記共通電極を低位側電圧または高位側電圧のいず
れか一方とし、偶数行目の走査線を本選択したとき、前記共通電極を前記低位側電圧また
は前記高位側電圧のいずれか他方とし、一の走査線を本選択したときに、前記共通電極を
前記低位側電圧にした場合、前記データ信号を前記低位側電圧よりも高位側の電圧とし、
前記共通電極を前記高位側電圧にした場合、前記データ信号を前記高位側電圧よりも低位
側の電圧としても良い。この方法によれば、画素への書込極性が、いわゆる走査線反転と
なるので、フリッカやクロストークの発生が抑えられる。
【０００７】
また、本発明において、前記容量線および前記共通電極を、それぞれ奇数行目の走査線
に対応するものと、偶数行目の走査線に対応するものとに分け、前記第１期間において奇
数行目の走査線を最初に本選択したときに、他の奇数行目の走査線も選択し、当該他の奇
数行目の走査線に対応する画素容量に対し、前記黒表示とさせる電圧を保持させ、前記第
１期間において偶数行目の走査線を最初に本選択したときに、他の偶数行目の走査線も選
択し、当該他の偶数行目の走査線に対応する画素容量に対し、前記黒表示とさせる電圧を
保持させ、前記第１期間において、奇数行目に対応する共通電極を低位側電圧または高位
側電圧のいずれか一方とし、偶数行目に対応する共通電極を前記低位側電圧または前記高
位側電圧のいずれか他方とし、当該奇数行目の共通電極を前記低位側電圧にした場合、当
該奇数行目の走査線を本選択したときの前記データ信号を前記低位側電圧よりも高位側の
電圧とし、当該奇数行目の共通電極を前記高位側電圧にした場合、当該奇数行目の走査線
を本選択したときの前記データ信号を前記高位側電圧よりも低位側の電圧とし、当該偶数
行目の共通電極を前記低位側電圧にした場合、当該偶数行目の走査線を本選択したときの
前記データ信号を前記低位側電圧よりも高位側の電圧とし、当該偶数行目の共通電極を前
記高位側電圧にした場合、当該偶数行目の走査線を本選択したときの前記データ信号を前
記高位側電圧よりも低位側の電圧としても良い。この方法によれば、画素への書込極性が
走査線反転となるだけでなく、共通電極等の電圧切り替わり回数が低下するので、消費電
力を抑えることも可能となる。
【０００８】
さらに、本発明において、前記容量線を、前記複数の走査線のそれぞれに対応させ、前
記共通電極を所定の基準電位に保ち、前記データ信号の電圧を、奇数行目の走査線を本選
択するときに前記基準電位よりも高位側または低位側のいずれか一方とし、偶数行目の走
査線を本選択するときに前記高位側または前記低位側のいずれか他方とし、前記奇数行目
の走査線を本選択するときに前記データ信号の電圧を前記高位側とするのであれば、当該
本選択する奇数行目の容量線を、低位側電圧とし、当該奇数行目の走査線の本選択が終了
したときに高位側電圧に切り替える一方、前記奇数行目の走査線を本選択するときに前記
データ信号の電圧を前記低位側とするのであれば、当該本選択する奇数行目の容量線を、
前記高位側電圧とし、当該奇数行目の走査線の本選択が終了したときに前記低位側電圧に
切り替え、前記偶数行目の走査線を本選択するときに前記データ信号の電圧を前記低位側
とするのであれば、当該本選択する偶数行目の容量線を、前記高位側電圧とし、当該偶数
行目の走査線の本選択が終了したときに前記低位側電圧に切り替え、前記偶数行目の走査
線を本選択するときに前記データ信号の電圧を前記高位側とするのであれば、当該本選択
する偶数行目の容量線を、前記低位側電圧とし、当該偶数行目の走査線の本選択が終了し
たときに前記高位側電圧に切り替えても良い。この方法によれば、画素への書込極性が走
査線反転となるだけでなく、共通電極の電圧が一定であるので、消費電力を抑えることも
可能となる。
なお、本発明は、電気光学装置の駆動方法のみならず、電気光学装置としても、さらに
は、当該電気光学装置を有する電子機器としても概念することが可能である。
【発明を実施するための最良の形態】
【０００９】
以下、本発明の実施の形態について図面を参照して説明する。
【００１０】
＜第１実施形態＞
まず、本発明の第１実施形態について説明する。図１は、本発明の第１実施形態に係る
電気光学装置の構成を示すブロック図である。
この図に示されるように、電気光学装置１０は、表示領域１００の周辺に、走査線駆動
回路１４０、容量線駆動回路１５０、共通電極駆動回路１７０およびデータ線駆動回路１
９０が配置するとともに、制御回路２０が、これらの各部をそれぞれ制御する構成となっ
ている。
【００１１】
表示領域１００は、画素１１０が配列する領域であり、本実施形態では、１行目から３
２０行目までの走査線１１２が行（Ｘ）方向に延在するように設けられ、また、１列目か
ら２４０列目までのデータ線１１４が列（Ｙ）方向に延在するように設けられている。そ
して、図１において１〜３２０行目の走査線１１２と１〜２４０列目のデータ線１１４と
の交差に対応して、画素１１０がそれぞれ配列している。したがって、本実施形態では、
表示領域１００において画素１１０が縦３２０行×横２４０列でマトリクス状に配列する
ことになる。ただし、本発明をこの配列に限定する趣旨ではない。
【００１２】
ここで、画素１１０の詳細な構成について説明する。図２は、画素１１０の構成を示す
図であり、ｉ行目及びこれに下方向で隣接する（ｉ＋１）行目と、ｊ列目及びこれに右方
向で隣接する（ｊ＋１）列目との交差に対応する２×２の計４画素分の構成が示されてい
る。
なお、ｉ、（ｉ＋１）は、画素１１０が配列する行を一般的に示す場合の記号であって
、１以上３２０以下の整数であり、ｊ、（ｊ＋１）は、画素１１０が配列する列を一般的
に示す場合の記号であって、１以上２４０以下の整数である。
【００１３】
図２に示されるように、各画素１１０は、画素スイッチング素子として機能するｎチャ
ネル型の薄膜トランジスタ（thin film transistor：以下単に「ＴＦＴ」と略称する）１
１６と、画素容量（液晶容量）１２０と、蓄積容量１３０とを有する。各画素１１０につ
いては互いに同一構成なので、ｉ行ｊ列に位置するもので代表して説明すると、当該ｉ行
ｊ列の画素１１０において、ＴＦＴ１１６は、そのゲート電極がｉ行目の走査線１１２に
接続され、そのソース電極がｊ列目のデータ線１１４に接続され、そのドレイン電極が画
素容量１２０の一端たる画素電極１１８と、蓄積容量１３０の一端とにそれぞれ接続され
ている。
【００１４】
また、画素容量１２０の他端は共通電極１０８に接続され、蓄積容量１３０の他端は容
量線１３２に接続されている。
本実施形態において、共通電極１０８は各画素１１０に対して共通であり、共通電極駆
動回路１７０によってコモン信号Ｖcomが供給される。また、本実施形態において、容量
線１３２についても各画素１１０に対して共通であり、容量線駆動回路１５０によって容
量信号Ｖhldが供給される。
なお、コモン信号Ｖcomおよび容量信号Ｖhldの電圧波形については後述するものとする
。また、図２において、Ｙｉ、Ｙ（ｉ＋１）は、それぞれｉ、（ｉ＋１）行目の走査線１
１２に供給される走査信号を示し、ＣpixおよびＣhldは、それぞれ画素容量１２０および
蓄積容量１３０における容量値を示している。
【００１５】
表示領域１００は、画素電極１１８が形成された素子基板と共通電極１０８が形成され
た対向基板との一対の基板同士を、電極形成面が互いに対向するように一定の間隙を保っ
て貼り合わせるとともに、この間隙に液晶１０５を封止した構成となっている。
本実施形態において、液晶１０５は、ＯＣＢ（Optical Compensated Birefringence）
モードとしている。このため、液晶分子は、初期状態では２枚の基板間でスプレイ状に開
いたスプレイ配向であり、表示動作時では弓なりに曲がった状態（ベンド配向）になって
、ベンド配向の曲がりの度合いに応じて透過率が変化する。このため、本実施形態では、
図５に示されるように、画素容量１２０において保持される電圧実効値がゼロに近いＶwt
であれば、光の透過率が最大となって白色表示になる一方、電圧実効値が大きくなるにつ
れて透過する光量が減少して、Ｖblk以上では、透過率がほぼ飽和して黒色表示になるノ
ーマリーホワイトモードとしている。
周知のように、ＯＣＢモードでは、画素容量１２０において保持される電圧実効値が臨
界電圧Ｖcrtを下回るとスプレイ配向に戻って、同図において破線で示されるように実効
値に応じて透過率の制御ができなくなるので、目的とする透過率に制御する前に臨界電圧
Ｖcrt以上の電圧を印加して、ベンド配向に転移させておく必要がある。
【００１６】
説明を再び図１に戻すと、制御回路２０は、各種の制御信号を出力して、走査線駆動回
路１４０、容量線駆動回路１５０、共通電極駆動回路１７０およびデータ線駆動回路１９
０の各部を制御するものである。なお、これらの制御の内容については、各部において説
明することにする。
【００１７】
走査線駆動回路１４０は、制御回路２０による制御にしたがって、１フレームのうちの
、期間Ｈbにおいて、走査信号Ｙ１、Ｙ２、Ｙ３、Ｙ４、…、Ｙ３１９、Ｙ３２０を、そ
れぞれ１、２、３、４、…、３１９、３２０行目の走査線１１２に供給するものである。
詳細には、本実施形態において、走査線駆動回路１４０は、図３に示されるように、原
則として、期間Ｈbにおいて、走査線１１２を図１において上から数えて１、２、３、４
、…、３１９、３２０行目という順番で選択し、選択した走査線への走査信号をＨレベル
とし、それ以外の走査線への走査信号をＬレベルとする。ただし、走査線駆動回路１４０
は、例外として、１行目の走査線１１２を選択するとき、同時に他の２〜３２０行目の走
査線１１２も選択する。
このため、本実施形態において１フレームの期間Ｈbの最初において走査信号Ｙ１〜Ｙ
３２０が一斉にＨレベルとなり、以下、順番に走査信号Ｙ２、Ｙ３、…、Ｙ３１９、Ｙ３
２０だけがＨレベルとなる。２〜３２０行目は、期間Ｈbにおいて２回選択されることに
なり、区別する必要から時間的に後方の選択（階調に応じた電圧と共通電極の電圧とを絶
対値で加算した電圧を画素容量に書き込むための選択）を特に「本選択」と呼ぶ場合があ
る。なお、図３において２〜３２０行目の本選択となる期間が、それぞれハッチングで示
している。また、本実施形態において、１行目は期間Ｈbで１回しか選択されないので、
この選択が本選択となる。
【００１８】
なお、ある走査線の走査信号がＬレベルとなる期間が当該走査線の非選択期間である。
また、走査信号においてＨレベルを選択電位Ｖddとし、Ｌレベルを非選択電位Ｖssとして
いる。さらに、本実施形態において、１フレームの期間のうち、期間Ｈbの余りであって
、時間的に後方の期間をＨaとしている。
【００１９】
ところで、画素容量１２０については、液晶１０５の劣化を防止するために交流駆動す
る必要がある。画素容量１２０の交流駆動にあたって、どのような極性で書き込むかにつ
いては、列反転、画素反転、走査線反転などの種々の例があるが、本実施形態では、一の
フレームにおいてすべての画素容量１２０を同一極性とし、１フレーム毎に書込極性を反
転するフレーム反転とする。
極性指定信号Ｐolは、画素容量１２０における書込極性を指定する信号であるが、フレ
ーム反転では、１フレーム毎に書込極性が反転するので、特に図示する必要もないだろう
。また、図３において正極性書込が指定されるフレームを「ｎフレーム」と表記し、負極
性書込が指定されるフレームを「（ｎ＋１）フレーム」と表記している。
なお、本実施形態における書込極性については、画素容量１２０に対して電圧を保持さ
せる際に、共通電極１０８の電位に対して画素電極１１８を高位側とする場合を正極性と
し、低位側とする場合を負極性とする。このため、電圧については、特に説明のない限り
、選択電位Ｖddおよび非選択電位Ｖssの中間電位Ｃntを、電圧ゼロの基準としている。本
実施形態では、後述するように、画素容量１２０に対して階調に応じた透過率の電圧を保
持させる際に、コモン信号Ｖcomの電位が中間電位Ｃntとなるからである。
【００２０】
共通電極駆動回路１７０は、制御回路２０による制御にしたがって次のような電圧のコ
モン信号Ｖcomを出力する。詳細には、共通電極駆動回路１７０は、コモン信号Ｖcomを、
図３に示されるように、正極性書込が指定されるｎフレームのうち、期間Ｈbにわたって
電圧−Ｖcとし、負極性書込が指定されるｎフレームのうち、期間Ｈbにわたって電圧＋Ｖ
cとする。なお、共通電極駆動回路１７０は、コモン信号Ｖcomを、各フレームの期間Ｈa
においては、電圧ゼロ（電位Ｃnt）とする。
次に、容量線駆動回路１５０は、制御回路２０による制御にしたがって次のような電圧
の容量信号Ｖhldを出力する。詳細には、容量線駆動回路１５０は、容量信号Ｖhldを、同
図に示されるように、ｎフレームのうち、期間Ｈbにわたって電圧＋Ｖhとし、（ｎ＋１）
フレームのうち、期間Ｈbにわたって電圧−Ｖhとする。なお、容量線駆動回路１５０は、
容量信号Ｖhldを、各フレームの期間Ｈaにおいては、電圧ゼロ（電位Ｃnt）とする。
なお、ラッチパルスＬpは、走査線が選択されて、走査信号がＨレベルとなるタイミン
グで出力される。
【００２１】
データ線駆動回路１９０は、走査線駆動回路１４０によって本選択される走査線に位置
する画素１１０に対し、階調に応じた電圧であって、かつ、極性指示信号Ｐolで指定され
た極性に応じた電圧のデータ信号をデータ線１１４介して供給するものである。詳細には
、本実施形態はノーマリーホワイトモードであるから、データ線駆動回路１９０は、デー
タ信号の電圧を、正極性書込が指定されていれば、指定される階調が暗くなるにつれて電
位Ｃntよりも高位とし、負極性書込が指定されていれば、指定される階調が暗くなるにつ
れて電位Ｃntよりも低位とする。
【００２２】
データ線駆動回路１９０は、縦３２０行×横２４０列のマトリクス配列に対応した記憶
領域（図示省略）を有し、各記憶領域には、それぞれ対応する画素１１０の階調（明るさ
）を指定する表示データＤaが記憶される。
なお、各記憶領域に記憶される表示データＤaは、表示内容に変更が生じた場合に、変
更後の表示データＤaが供給されて記憶領域の内容が書き換えられる。
このようなデータ線駆動回路１９０は、選択走査線に位置する画素１１０の表示データ
Ｄaを記憶領域から１行分読み出すとともに、当該読み出した表示データで指定された階
調および指定された極性に応じた電圧のデータ信号に変換し、データ線１１４に供給する
動作を、選択走査線に位置する１〜２４０列のそれぞれについて実行する。
なお、データ線駆動回路１９０は、ラッチパルスＬpを１フレームの期間の最初からカ
ウントすることによって何行目の走査信号がＨレベルとなるのか、および、ラッチパルス
Ｌpの供給タイミングによって走査線の選択開始のタイミングを知る。
【００２３】
次に、本実施形態に係る電気光学装置１０の動作について図３を参照して説明する。
正極性書込が指定されるｎフレームの期間Ｈbのはじめにおいて、１行目が本選択され
て走査信号Ｙ１がＨレベルとなる。
走査信号Ｙ１がＨレベルとなるとき、データ線駆動回路１９０は、１行１列〜１行２４
０列の階調に応じた正極性電圧をデータ信号Ｘ１〜Ｘ２４０として１〜２４０列目のデー
タ線１１４に供給する。走査信号Ｙ１がＨレベルであるから、１行目の画素１１０におけ
るＴＦＴ１１６がオンするので、１行１列〜１行２４０列の画素容量１２０の一端である
画素電極１１８には、それぞれの階調に応じた正極性電圧が印加される。
【００２４】
ただし、ｎフレームの期間Ｈbにおいて、共通電極１０８に供給されるコモン信号Ｖcom
は電圧−Ｖcであるので、例えばｊ列目のデータ線１１４に供給されるデータ信号Ｘｊの
電圧を＋Ｖsegと表記したとき、１行ｊ列の画素容量１２０は、データ信号Ｘｊの電圧＋
Ｖsegからコモン信号Ｖcomの電圧−Ｖcを減算した電圧＋（Ｖseg＋Ｖc）に充電される。
ここで、電圧＋（Ｖseg＋Ｖc）の絶対値は、ノーマリーホワイトモードの画素容量１２
０を黒色とさせる電圧Ｖblk以上であって、かつ、ＯＣＢモードである液晶１０５の臨界
電圧Ｖcrt以上という条件を満たすように設定される。なお、実際には、電圧Ｖs egは、
画素の階調に応じて定まるから、電圧Ｖsegにかかわらず、電圧＋（Ｖseg＋Ｖc）の絶対
値が電圧Ｖblk以上となるように、かつ、臨界電圧Ｖcrt以上となるように、コモン信号Ｖ
comの電圧−Ｖcが決められる。
このように、ｎフレームの期間Ｈbにおいて、走査信号Ｙ１がＨレベルとなるとき、１
行１列〜１行２４０列の画素電極１１８には、それぞれ階調に応じた正極性電圧が印加さ
れるるものの、共通電極１０８が電圧−Ｖcであるために、画素容量１２０は、絶対値で
みると、階調に応じた電圧と共通電極１０８の電圧との加算電圧が充電される結果、１行
目の画素１１０は黒表示となる（黒潜像表示）。
【００２５】
また、走査信号Ｙ１がＨレベルであるとき、他の走査信号Ｙ２〜Ｙ３２０も同時にＨレ
ベルであるから、２〜３２０行目の画素１１０におけるＴＦＴ１１６もオンする。このた
め、ｊ列目でいえば、２行ｊ列〜３２０行ｊ列の画素容量１２０にも、電圧（Ｖseg＋Ｖc
）が同様に充電される。このため、２〜３２０行目の画素１１０も黒潜像表示となる。な
お、このときに２〜３２０行目の画素容量１２０に充電される電圧は、１行目の階調に依
存し、２行目の階調とは無関係である。
【００２６】
次に、ｎフレームの期間Ｈbにおいて、２行目が本選択されて走査信号Ｙ２だけがＨレ
ベルとなり、他の走査信号はＬレベルとなる。
走査信号Ｙ２がＨレベルとなるとき、データ線駆動回路１９０は、２行１列〜２行２４
０列の階調に応じた正極性電圧をデータ信号Ｘ１〜Ｘ２４０として１〜２４０列目のデー
タ線１１４に供給する。走査信号Ｙ２がＨレベルであるから、２行目の画素１１０におけ
るＴＦＴ１１６がオンする。このため、２行１列〜２行２４０列の画素電極１１８には、
それぞれの階調に応じた正極性電圧のデータ信号Ｘ１〜Ｘ２４０が印加される。
ただし、共通電極１０８が電圧−Ｖcであるので、２行目の画素容量１２０は、階調に
応じた正極性電圧から電圧−Ｖcを減算した電圧に充電され直されて、これにより、２行
目の画素１１０は引き続き黒潜像表示となる。
また、１行目および３〜３２０行目については、それぞれＴＦＴ１１６がオフするが、
画素容量に充電された電圧は変化しないので、走査信号Ｙ１〜Ｙ３２０がＨレベルとなっ
たときの黒潜像表示を維持することになる。
【００２７】
続いて、走査信号Ｙ３だけがＨレベルとなり、３行目の画素１１０のＴＦＴ１１６がオ
ンする。また、データ線駆動回路１９０は、３行１列〜３行２４０列の階調に応じた正極
性電圧をデータ信号Ｘ１〜Ｘ２４０として１〜２４０列目のデータ線１１４に供給する。
このため、３行１列〜３行２４０列の画素電極１１８には、それぞれの階調に応じた正極
性電圧のデータ信号Ｘ１〜Ｘ２４０が印加されるものの、共通電極１０８が電圧−Ｖcで
あるから、３行目の画素容量１２０は、階調に応じた正極性電圧から電圧−Ｖcを減算し
た電圧に充電され直され、これにより、３行目の画素１１０は引き続き黒潜像表示を維持
することになる。
また、２行目については、ＴＦＴ１１６がオフするが、画素容量に充電された電圧は変
化しないので、走査信号Ｙ２だけがＨレベルとなったときの黒潜像表示を維持する。
【００２８】
ｎフレームの期間Ｈbにおいては以下同様な動作が繰り返されて、３２０行目までの画
素容量１２０に、それぞれ階調に応じた正極性電圧から電圧−Ｖcを減算した電圧に充電
され直され、これにより、期間Ｈbにおいてすべての画素は黒潜像表示を維持することに
なる。
【００２９】
次に、ｎフレームの期間Ｈaにおいて、共通電極１０８に供給されるコモン信号Ｖcomが
電圧−Ｖcから電圧ゼロに電圧ΔＶcだけ上昇する一方、容量線１３２に供給される容量信
号Ｖhldが電圧＋Ｖhから電圧ゼロに電圧ΔＶhだけ下降する。
ここで、期間Ｈbにおいて、例えば１行ｊ列の画素容量１２０に充電された電圧＋（Ｖs
eg＋Ｖc）は、期間Ｈaにおいて
（Ｖseg＋Ｖc）−Ｃhld（ΔＶc＋ΔＶh）／（Ｃpix＋Ｃhld）
に変化する。  
すなわち、期間Ｈbに電圧＋（Ｖseg＋Ｖc）に充電された画素容量１２０は、期間Ｈaに
おいて電圧Ｃhld（ΔＶc＋ΔＶh）／（Ｃpix＋Ｃhld）だけ減少する。これは、ＴＦＴ１
１６がオフした状態において、画素容量１２０および蓄積容量１３０の直列接続の両端で
ある共通電極１０８と容量線１３２とが電圧変化して、画素容量１２０と蓄積容量１３０
とに蓄積された電荷が再配分されるためである。
【００３０】
この電圧変化において、期間Ｈbにおける共通電極の電圧−Ｖcの絶対値が、電圧減少分
のＣhld（ΔＶc＋ΔＶh）／（Ｃpix＋Ｃhld）と一致するように、電圧ΔＶc、電圧ΔＶh
を設定すると、期間Ｈaにおいて画素容量１２０に保持される電圧がＶs egとなる。した
がって、このように電圧ΔＶc、ΔＶhを設定すると、期間Ｈaにおいて１行ｊ列の画素１
１０を階調に応じた透過率とさせることができる。なお、ここでは、１行ｊ列について説
明しているが、他のすべての画素についても、ｎフレームの期間Ｈaにおいて一斉に階調
に応じた透過率となり、これにより、目的とする画像を表示させることができる（実像表
示）。
【００３１】
次に、負極性書込が指定される（ｎ＋１）フレームの動作について説明する。
まず、（ｎ＋１）フレームの期間Ｈbのはじめにおいて、１行目が本選択されて走査信
号Ｙ１がＨレベルとなる。走査信号Ｙ１がＨレベルとなるとき、データ線駆動回路１９０
は、１行１列〜１行２４０列の階調に応じた負極性電圧をデータ信号Ｘ１〜Ｘ２４０とし
て１〜２４０列目のデータ線１１４に供給する。このため、１行１列〜１行２４０列の画
素電極１１８には、それぞれの階調に応じた負極性電圧が印加される。
ここで、例えばｊ列目のデータ線１１４に供給されるデータ信号Ｘｊが電圧−Ｖsegで
あるとき、ｎフレームの期間Ｈbにおいて共通電極１０８は電圧＋Ｖcであるから、１行ｊ
列の画素容量１２０は、データ信号Ｘｊの電圧−Ｖsegから共通電極１０８の電圧＋Ｖcを
減算した電圧−（Ｖseg＋Ｖc）に充電される。このため、１行ｊ列の画素が黒潜像表示と
なる。１行目の他の画素も同様に黒潜像表示となる。
さらに、走査信号Ｙ１がＨレベルであるとき、走査信号Ｙ２〜Ｙ３２０もＨレベルとな
るので２〜３２０行目の画素も１行目と同じ黒潜像表示となる。
【００３２】
（ｎ＋１）フレームの期間Ｈbにおいては次に走査信号Ｙ２だけがＨレベルとなる。
走査信号Ｙ２がＨレベルとなるとき、データ線駆動回路１９０は、２行１列〜２行２４
０列の階調に応じた負極性電圧をデータ信号Ｘ１〜Ｘ２４０として出力する。ただし、共
通電極１０８が電圧＋Ｖcであるので、２行目の画素容量１２０は、階調に応じた負極性
電圧から電圧＋Ｖcを減算した電圧に充電され直されて、これにより、２行目の画素１１
０は引き続き黒潜像表示となる。
また、１行目および３〜３２０行目については、画素容量１２０に充電された電圧は変
化しないので、走査信号Ｙ１〜Ｙ３２０がＨレベルとなったときの黒潜像表示を維持する
。
【００３３】
（ｎ＋１）フレームの期間Ｈbにおいては、以下、走査信号Ｙ３、Ｙ４、Ｙ５、…、Ｙ
３２０が順番にＨレベルとなり、これにより、３、４、５…、３２０行目の画素容量１２
０は、それぞれ階調に応じた電圧に対して電圧Ｖcだけ過剰な電圧に充電され直される。
これにより、期間Ｈbにおいてすべての画素は黒潜像表示することになる。
【００３４】
続いて、（ｎ＋１）フレームの期間Ｈaにおいて、共通電極１０８が電圧＋Ｖcから電圧
ゼロに電圧ΔＶcだけ下降する一方、容量線１３２が電圧−Ｖhから電圧ゼロに電圧ΔＶh
だけ上昇する。
ここで、期間Ｈbにおいて例えば１行ｊ列の画素容量１２０に充電された電圧−（Ｖseg
＋Ｖc）は、期間Ｈaにおける電荷の再配分により絶対値でみて電圧Ｃhld（ΔＶc＋ΔＶh
）／（Ｃpix＋Ｃhld）だけ減少する。
この電圧変化において、期間Ｈbにおける共通電極の電圧＋Ｖcの絶対値は、電圧減少分
のＣhld（ΔＶc＋ΔＶh）／（Ｃpix＋Ｃhld）と一致するように、電圧ΔＶc、電圧ΔＶh
が設定されているので、期間Ｈaにおいて画素容量１２０に保持される電圧は、共通電極
の電位を基準としてみて−Ｖsegとなり、これにより、（ｎ＋１）フレームにおいても期
間Ｈaにおいて１行ｊ列の画素１１０を階調に応じた透過率とさせることができる。なお
、ここでは、１行ｊ列について説明しているが、他のすべての画素についても、期間Ｈa
において一斉に階調に応じた透過率となり、これにより、目的とする画像を表示させるこ
とができる（実像表示）。
【００３５】
単純なホールド型では、画像がフレームの期間だけ同じ位置にとどまるために、動画像
を表示させると、輪郭にぼやけ感が生じる。このため、ホールド型では、フレーム毎の映
像表示を表示する期間のあいだに黒表示期間を挿入した、いわゆる黒挿入表示方式が提案
されているのは、背景技術の項目で説明した通りである。本実施形態によれば、図４に示
されるように、すべての画素１１０が、各フレームの期間Ｈbにおいて黒潜像表示となり
、期間Ｈaにおいて一斉に階調に応じた透過率となる実像表示となる。このため、本実施
形態によれば、実像表示のあいだに黒色画像が挿入されるために、動画像のぽやけ感が抑
えられることになる。
【００３６】
ここで、図１８に示されるように、期間Ｈcにおいて線順次的で映像に応じた電圧を画
素に書き込んで、映像表示の期間とし、この書き込みが終了した後の期間Ｈdにおいて全
画素に黒色電圧を書き込んで黒色表示の期間とする、という従来の構成において、黒色表
示の期間Ｈdを長くするためには、画素への書き込みを高速化して映像表示の期間Ｈcを短
縮し、その分を黒色画像の表示期間に割り当てるしかない。
走査線駆動回路１４０やデータ線駆動回路１９０の構成素子がアモルファストランジス
タである場合に画素への書き込みを高速化すると、低温時の書き込み不足による表示むら
や、この表示むらを回避するためにトランジスタサイズの肥大化、電源電圧の高電圧化な
どを様々な問題を引き起こす。
これに対して、本実施形態では、図４に示されるように、各行の画素電極１１８にデー
タ信号を書き込む期間Ｈbにおいて黒潜像表示とし、この後、共通電極１０８および容量
線１３２の電圧を変化させて、画素容量１２０に保持される電圧を階調に応じた値に一斉
に変化させて実像表示しているので、画素への書き込みを高速化することなく、黒色画像
の表示期間を長くすることができる。このため、本実施形態では、動画ぼやけ感を、より
確実に抑えることが可能となる。
【００３７】
また、上述したようにＯＣＢ液晶等のベンド配向を用いて階調表現する場合、図５に示
されるように画素容量１２０の印加電圧が臨界電圧Ｖcrtを下回ってしまうと、ベンド配
向からスプレイ配向に転移する。この転移を防止するために臨界電圧Ｖcrt以上の電圧が
画素容量１２０に印加されるようにして表示を行うと、明るい透過率とさせることができ
なくなる。
ただし、画素容量１２０に臨界電圧Ｖcrt以上の電圧を印加し続けた後に、短時間だけ
、臨界電圧Ｖcrtを下回る電圧とした場合、ベンド配向が維持される。
ここで、本実施形態では、期間Ｈbにおいて表示に関係なく黒潜像表示、すなわち、臨
界電圧Ｖcrt以上の電圧を印加するので、その後の期間Ｈaにおいて、臨界電圧Ｖcrtを下
回る電圧を印加しても、比較的短い期間Ｈaではベンド配向が維持される。このため、本
実施形態では、期間Ｈaにおいて、ベンド配向を維持した明るい白表示が可能となる。
【００３８】
なお、本実施形態では、期間Ｈaにおいて共通電極１０８の電圧と容量線１３２の電圧
との双方を変化させているが、期間Ｈbに印加する共通電極の電圧±Ｖcの絶対値が電圧減
少分のＣhld（ΔＶc＋ΔＶh）／（Ｃpix＋Ｃhld）と一致するように電圧ΔＶc、ΔＶhを
設定すれば良いので、電圧ΔＶcまたはΔＶhの一方をゼロとすること、すなわち、共通電
極１０８または容量線１３２の一方を期間Ｈbから期間Ｈaにかけて変化させないこと、も
可能である。
【００３９】
＜第１実施形態の応用・変形＞
上述した第１実施形態では、説明を簡略化するために書込極性の基準を電位Ｃntとした
。ただし、書込極性の基準を電位Ｃntにすると、データ信号Ｘ１〜Ｘ２４０の電圧振幅Ｗ
が大きくなり、データ線駆動回路１９０における耐圧もそれなり高いことが要求される。
本発明の観点からいえば、画素容量１２０に対し、期間Ｈbにおいて階調に応じた電圧
よりも過剰な電圧を書き込んで黒潜像表示とし、期間Ｈaにおいて共通電極１０８または
容量線１３２の少なくとも一方を電圧変化させることによって階調に応じた電圧として実
像表示とすれば良いので、図６に示されるように、正極性書込が指定されるｎフレームの
期間Ｈbでは、書込極性の基準電位を下げて電位Ｃntpとするとともに、共通電極１０８の
電圧−Ｖcを下げる一方、負極性書込が指定される（ｎ＋１）フレームの期間Ｈbでは、逆
に、書込極性の基準電位を上げて電位Ｃntmとするとともに、共通電極１０８の電圧＋Ｖc
を上げることによって、データ信号Ｘ１〜Ｘ２４０の電圧振幅Ｗを小さくすることが可能
となる。具体的には、ノーマリーホワイトモードにおいて正極性の黒（白）電圧と負極性
の白（黒）電圧とが一致させると、電圧振幅をほぼ半分にすることができる。
なお、容量線１３２は、その電圧変化分のΔＶhが重要であるので、期間Ｈa、Ｈbにお
ける電圧は、電圧変化分のΔＶhが確保されているのであれば、いかなる値をとっても良
い。
【００４０】
また、上述した第１実施形態では、期間Ｈbのはじめに走査信号Ｙ１〜Ｙ３２０を一斉
にＨレベルとして、１行目の画素容量１２０に対し、階調に応じた電圧に共通電極の電圧
を絶対値でみて加算した電圧を書き込むとともに、同時に２〜３２０行目の画素について
も同列の加算した電圧を書き込むことにより期間Ｈaのはじめに全画素を黒潜像表示とさ
せる構成とした。ただし、この構成では、本選択される１行目の画素容量１２０に対して
電圧を書き込む負荷が、２〜３２０行目の画素に書き込む負荷よりも高くなるので、表示
むらが発生する可能性がある。
そこで、図７および図８に示されるように、１行目を本選択する前に、一旦、走査信号
Ｙ１〜Ｙ３２０を一斉にＨレベルとして、全画素に黒潜像表示のための電圧を強制的に書
き込み、この後、１、２、３、４、…、３１９、３２０行目を順番に本選択して、階調に
応じた電圧に共通電極の電圧を加算した電圧を書き込む構成としても良い。
このような構成によれば、階調に応じた電圧に共通電極の電圧を加算した電圧を書き込
むときの負荷が各行にわたって均等になるので、表示むらの発生を抑えることが可能とな
る。
【００４１】
＜第２実施形態＞
上述した第１実施形態では、一のフレームにおいてすべての画素容量１２０を同一極性
とし、１フレーム毎に書込極性を反転するフレーム反転としたが、このフレーム反転では
、フリッカやクロストークが視認される可能性が高くなる。そこで、一のフレームにおい
て走査線毎に書込極性を反転させた走査線反転とした第２実施形態について説明すること
にする。
【００４２】
図９は、第２実施形態に係る電気光学装置の構成を示すブロック図である。この図に示
されるように、第２実施形態では、容量線１３２が奇数（１、３、５、…、３１９）行目
と偶数（２、４、６、…、３２０）行目とに分けられるとともに、容量線駆動回路１５０
が奇数行の容量線１３２に容量信号Ｖhld1を、偶数行の容量線１３２に容量信号Ｖhld2を
、それぞれ供給する構成となっている。
ここで、第２実施形態では、走査線反転であるために、ｎフレームにおいて奇数行に対
して正極性書込が指定されるとともに、偶数行に対して負極性書込が指定される一方、（
ｎ＋１）フレームでは逆に奇数行に対して負極性書込が指定されるとともに、偶数行に対
しては正極性書込が指定されるものとする。
このような走査線反転において共通電極駆動回路１７０は、次のような電圧のコモン信
号Ｖcomを共通電極１０８に供給する。すなわち、共通電極駆動回路１７０は、コモン信
号Ｖcomを、図１０に示されるように、ｎフレームの期間Ｈbにおいて奇数行目が本選択さ
れるときに電圧−Ｖcとし、偶数行目が本選択されるときに電圧＋Ｖcとする一方、（ｎ＋
１）フレームの期間Ｈbにおいて奇数行目が本選択されるときに電圧＋Ｖcとし、偶数行目
が本選択されるときに電圧−Ｖcとして、いずれのフレームの期間Ｈaにおいて電圧ゼロの
電位Ｃntとする。
【００４３】
また、第２実施形態において走査線駆動回路１４０は、原則として、１フレームのうち
、期間Ｈbにおいて、走査線１１２を上から数えて１、２、３、４、…、３１９、３２０
行目という順番で選択し、選択した走査線への走査信号をＨレベルとし、それ以外の走査
線への走査信号をＬレベルとする点は、第１実施形態と同様であるが、図１０に示される
ように、例外として、奇数行で先頭の１行目の走査線１１２を本選択するとき、同時に他
の奇数行である３、５、７、…、３１９行目の走査線１１２も選択し、偶数行で先頭の２
行目の走査線１１２を本選択するとき、同時に他の偶数行である４、６、８、…、３２０
行目の走査線１１２も選択する点において第１実施形態と相違している。
【００４４】
この第２実施形態に係る電気光学装置の動作について説明すると、ｎフレームの期間Ｈ
bのはじめにおいて、奇数行の走査信号Ｙ１、Ｙ３、Ｙ５、…、Ｙ３１９がＨレベルにな
るとともに、１行１列〜１行２４０列の階調に応じた正極性電圧のデータ信号Ｘ１〜Ｘ２
４０が出力される。
ただし、ｎフレームの期間Ｈbにおいて奇数行が本選択されるとき、共通電極１０８は
電圧−Ｖcであり、ｊ列目のデータ信号Ｘｊは電圧＋Ｖsegとなるので、１行ｊ列の画素容
量１２０は、階調に応じた電圧＋Ｖsegから共通電極１０８の電圧−Ｖcを減算した電圧（
Ｖseg＋Ｖc）に、すなわち絶対値でみると両者の加算電圧に充電される。なお、ここでは
、１行ｊ列について説明しているが、１行目におけるすべての画素についても、ｎフレー
ムの期間Ｈbにおいて階調に応じた正極性電圧から電圧−Ｖcを減算した電圧に充電される
。これにより、１行目の画素１１０は黒潜像表示となる。
また、１行目以外の奇数３、５、７、…、３１９行目についても選択されているので、
これらの奇数行の画素容量１２０は、１行目と同列の画素の階調に応じた正極性電圧から
電圧−Ｖcを減算した電圧に充電される。これにより、他の奇数行についても黒潜像表示
となる。
【００４５】
続いて、ｎフレームの期間Ｈbでは、偶数行の走査信号Ｙ２、Ｙ４、Ｙ６、…、Ｙ３２
０がＨレベルとなり、２行１列〜２行２４０列の階調に応じた負極性電圧のデータ信号Ｘ
１〜Ｘ２４０が出力される。ただし、ｎフレームの期間Ｈbにおいて偶数行の走査線が選
択されるとき、共通電極１０８は電圧＋Ｖcであり、ｊ列目のデータ信号Ｘｊは電圧−Ｖs
egとなるので、２行ｊ列の画素容量１２０は、階調に応じた電圧−Ｖsegから電圧＋Ｖcを
減算した電圧−（Ｖseg＋Ｖc）に、すなわち絶対値でみると両者の加算電圧に充電される
。
なお、ここでは、２行ｊ列について説明しているが、２行目におけるすべての画素につ
いても同様な黒潜像表示となり、また、２行目以外の偶数４、６、８、…、３２０行目に
ついても選択されているので、これらの偶数行の画素についても同様な黒潜像表示となる
。
【００４６】
以降、ｎフレームの期間Ｈbでは、走査信号Ｙ３、Ｙ４、…、Ｙ３１９、Ｙ３２０が順
番にＨレベルとなり、これにより、奇数行目の画素容量１２０は、それぞれ階調に応じた
正極性電圧から電圧−Ｖcを減算した電圧に充電され、偶数行目の画素容量１２０は、そ
れぞれ階調に応じた負極性電圧から電圧＋Ｖcを減算した電圧に充電されて、それぞれ黒
潜像表示を維持することになる。
【００４７】
そして、ｎフレームの期間Ｈaにおいて、共通電極１０８に供給されるコモン信号Ｖcom
が電圧ゼロとなる一方、奇数行の容量線１３２に供給される容量信号Ｖhld1が電圧＋Ｖh
から電圧ゼロに電圧ΔＶhだけ下降し、偶数行の容量線１３２に供給される容量信号Ｖhld
2が電圧−Ｖhから電圧ゼロに電圧ΔＶhだけ上昇する。
このため、期間Ｈbにおいて奇数行および偶数行の画素容量１２０にそれぞれ充電され
た電圧は、期間Ｈaにおける電荷の再配分によって絶対値でみて電圧Ｃhld（ΔＶc＋ΔＶh
）／（Ｃpix＋Ｃhld）だけ減少するので、階調に応じた透過率となり、これにより、目的
とする画像を表示させることができる（実像表示）。
【００４８】
次の（ｎ＋１）フレームでも、同様な動作となるが、奇数行と偶数行とで書込極性が反
転する。
このため、奇数行のうち、１行目の画素容量１２０は、画素の階調に応じた負極性電圧
から電圧＋Ｖcを減算した電圧に充電され、１行目以外の３、５、７、…、３１９行目の
画素容量１２０については、１行目が本選択されたときに、１行目の同列と同じ電圧に充
電され、その後、再選択されたときに画素の階調に応じた負極性電圧から電圧＋Ｖcを減
算した電圧に充電され直される。
また、偶数行のうち、２行目の画素容量１２０は、画素の階調に応じた正極性電圧から
に電圧−Ｖcを減算した電圧に充電され、２行目以外の４、６、８、…、３２０行目の画
素容量１２０については、２行目が本選択されたときに、２行目の同列と同じ電圧に充電
され、その後、再選択されたときに画素の階調に応じた正極性電圧から電圧−Ｖcを減算
した電圧に充電され直される。
そして、（ｎ＋１）フレームの期間Ｈaにおいて、共通電極１０８に供給されるコモン
信号Ｖcomが電圧ゼロとなる一方、奇数行の容量線１３２が電圧ΔＶhだけ上昇し、偶数行
の容量線１３２が電圧ΔＶhだけ上昇すると、期間Ｈbにおいて奇数行および偶数行の画素
容量１２０にそれぞれ充電された電圧が、期間Ｈaにおける電荷の再配分によって絶対値
でみて電圧Ｃhld（ΔＶc＋ΔＶh）／（Ｃpix＋Ｃhld）だけ減少するので、階調に応じた
透過率となる。
【００４９】
ここで、第２実施形態において注意すべき点は、期間Ｈbにおいて共通電極１０８が一
定ではなく、走査線が選択される毎に電圧−Ｖc、＋Ｖcで交互に切り替わる、すなわち、
電圧２ΔＶcだけ上昇・下降を繰り返す点にある。このため、第２実施形態では、期間Ｈb
において画素容量１２０の充電電圧の絶対値は、ｊ列目でみると、
｜Ｖseg＋Ｖc｜と、
｜（Ｖseg＋Ｖc）−Ｃhld・（２ΔＶc）／（Ｃpix＋Ｃhld）｜と
で交互に変化するので、理想とする黒表示とはならない場合がある。
そこで、第２実施形態では、図示省略したバックライトを設けるとともに、期間Ｈbに
おいてのみ当該バックライトを消灯させて、画素容量１２０の充電電圧が絶対値で｜（Ｖ
seg＋Ｖc）−Ｃhld・（２ΔＶc）／（Ｃpix＋Ｃhld）｜となったときでも、黒色表示とな
るような構成とすれば良い。
【００５０】
なお、このようなバックライトを併用する方式について考えたとき、例えば図１８で示
したような従来の構成においてバックライトを、期間ｐにおいて点灯させ、他の期間にお
いて消灯させることによって、黒色表示の期間を長くすることができる。ただし、このよ
うな構成では期間ｐが短いので、画面全体の輝度が不足して、暗くなってしまう。暗くな
らないように期間ｐを含む期間ｑでバックライトを点灯させることも考えられるが、書き
込みが完了して階調に応じた透過率となっている行と、書き込みが完了していないために
階調に応じた透過率となっていない行との双方が視認されてしまうために、表示むらとな
ってしまう。
これに対して、第２実施形態では、期間Ｈaでは全行において書き込みが終了している
ので、バックライトを併用したときでも、このような表示むらが発生しない、という利点
がある。
【００５１】
＜第２実施形態の応用・変形＞
上述した実施形態では、共通電極１０８を奇数行と偶数行とで共用したが、図１１に示
されるように、容量線１３２と同様に、奇数行目と偶数行目とに分けるとともに、共通電
極駆動回路１７０が奇数行の共通電極１０８にコモン信号Ｖcom1を、偶数行の共通電極１
０８にコモン信号Ｖcom2を、それぞれ供給する構成としても良い。
ここで、コモン信号Ｖcom1、Ｖcom2については、図１２において破線で示されるような
電圧波形とすれば良い。すなわち、奇数行のコモン信号Ｖcom1については、ｎフレームの
期間Ｈbにおいて電圧−Ｖcとし、（ｎ＋１）フレームの期間Ｈbにおいて電圧＋Ｖcとして
、いずれのフレームであっても期間Ｈaにおいて電圧ゼロの電位Ｃntとする。一方、偶数
行のコモン信号Ｖcom2については、ｎフレームの期間Ｈbにおいて電圧＋Ｖcとし、（ｎ＋
１）フレームの期間Ｈbにおいて電圧−Ｖcとして、いずれのフレームであっても期間Ｈa
において電圧ゼロの電位Ｃntとする。
【００５２】
このように共通電極１０８を奇数行と偶数行とで分けると、期間Ｈaにおいて画素容量
１２０に充電される電圧が、絶対値で｜Ｖseg＋Ｖc｜となり、バックライトを消灯するこ
となく、黒潜像表示とさせることができる。また、期間Ｈbにおいて共通電極の電圧が切
り替わらないので、電荷の再配分や寄生容量によって消費される電力を抑えることもでき
、それだけ低消費電力化に有利となる。
【００５３】
なお、第２実施形態や、第２実施形態の応用・変形においても、第１実施形態の応用・
変形と同様にして、正極性書込の基準電位および電圧−Ｖcを下げ、負極性書込の基準電
位および電圧＋Ｖcを上げることによって、データ信号Ｘ１〜Ｘ２４０の電圧振幅Ｗを小
さくすることが可能である。
【００５４】
＜第３実施形態＞
次に、本発明の第３実施形態について説明する。この第３実施形態に係る電気光学装置
は、第２実施形態と同様に書込極性を走査線反転とした上で、第２実施形態よりもさらな
る低消費電力化を図ったものである。
【００５５】
図１３は、第３実施形態に係る電気光学装置の構成を示すブロック図である。この図に
示されるように、第３実施形態では、共通電極１０８が全画素１１０にわたって共通であ
るが、容量線１３２は、１〜３２０行目の各々に対応してそれぞれ設けられている。ここ
で、１〜３２０行目の容量線１３２には、容量線駆動回路１５０によってそれぞれ容量信
号Ｈld1〜Ｈld320がそれぞれ供給される。
なお、このような容量線駆動回路１５０については、表示領域１００の周辺であって走
査線駆動回路１４０やデータ線駆動回路１９０とともに素子基板に形成した構成としても
良いし、別体のＩＣチップを素子基板に実装した構成としても良い。
【００５６】
第３実施形態において、走査線駆動回路１４０は、３２１行目のダミーとなる走査線が
設けられ、走査信号Ｙ１〜Ｙ３２０に加えて、走査信号Ｙ３２１を出力する。ここで、走
査線駆動回路１４０は、原則の動作のみであるが、ダミーの走査線が３２１行目に設けら
れているので、走査線駆動回路１４０は、１フレームのうち、期間Ｈbにおいて、走査線
１１２を上から数えて１、２、３、４、…、３１９、３２０、３２１行目という順番で本
選択し、選択した走査線への走査信号をＨレベルとし、それ以外の走査線への走査信号を
Ｌレベルとする。
なお、第３実施形態では、１フレームについて各行の選択は１回であり、１〜３２０行
目ではこの選択時に、階調に応じた電圧が画素電極に印加されるので、選択と本選択とは
同義となる。ただし、３２１行目についてはダミーであるので、本選択はない。
【００５７】
ここで、第３実施形態では、第２実施形態と同様に、ｎフレームでは、奇数行に対して
正極性書込が指定されるとともに偶数行に対して負極性書込が指定される一方、（ｎ＋１
）フレームでは、奇数行に対して負極性書込が指定されるととも、偶数行に対しては正極
性書込が指定されるものとする。
説明の便宜上、ｉを奇数とし、（ｉ＋１）をｉに続く偶数として、ｉ行目の容量線１３
２に供給される容量信号をＨldiと表記し、（ｉ＋１）行目の容量線１３２に供給される
容量信号をＨl d(i+1)と表記したとき、容量線駆動回路１５０は、次のような電圧の容量
信号Ｈldi、Ｈld(i+1)を出力する。
【００５８】
すなわち、容量線駆動回路１５０は、奇数ｉ行目の容量線１３２に供給する容量信号Ｈ
ldiについて、ｎフレームの期間Ｈbの最初からｉ行目の走査線の選択まで電圧−Ｖh1とし
、ｉ行目の走査線の選択が終了したときに電圧＋Ｖh1とし、期間Ｈaにおいて電圧＋Ｖh2
とする。次に、容量線駆動回路１５０は、容量信号Ｈldiについて、（ｎ＋１）フレーム
の期間Ｈbの最初からｉ行目の走査線の選択まで再び電圧＋Ｖh1とし、ｉ行目の走査線の
選択が終了したときに電圧−Ｖh1とし、期間Ｈaにおいて電圧−Ｖh2とする。
一方、容量線駆動回路１５０は、偶数（ｉ＋１）行目の容量線１３２に供給する容量信
号Ｈld(i+1)について、ｎフレームの期間Ｈbの最初から（ｉ＋１）行目の走査線の選択ま
で電圧＋Ｖh1とし、（ｉ＋１）行目の走査線の選択が終了したときに電圧−Ｖh1とし、期
間Ｈaにおいて電圧−Ｖh2とする。次に、容量線駆動回路１５０は、容量信号Ｈld(i+1)に
ついて、（ｎ＋１）フレームの期間Ｈbの最初から（ｉ＋１）行目の走査線の選択まで再
び電圧−Ｖh1とし、（ｉ＋１）行目の走査線の選択が終了したときに電圧＋Ｖh1とし、期
間Ｈaにおいて電圧＋Ｖh2とする。
なお、容量信号Ｈld1〜Ｈld320のうち、１、２、３１９、３２０行目の容量線に供給さ
れる容量信号Ｈld1、Ｈld2、Ｈld319、Ｈld320については図１４に示される通りである。
【００５９】
共通電極駆動回路１７０は、コモン信号Ｖcomを、電圧ゼロの電位Ｃntで一定とする。
【００６０】
ｎフレームの期間Ｈbにおいて、走査信号Ｙ１、Ｙ２、Ｙ３、Ｙ４、…、Ｙ３１９、Ｙ
３２０が順番にＨレベルとなる。
ここで、奇数ｉ行目が選択されて、走査信号ＹｉがＨレベルとなったときにｊ列目のデ
ータ信号Ｘｊが正極性の電圧＋Ｖsであったとする。奇数ｉ行目が選択されたときにｉ行
目の容量線１３２は電圧−Ｖh1であり、その選択が終了すると、電圧＋Ｖh1に変化する。
この変化の電圧差をΔＶ1（＝２ΔＶh1）としたとき、ｉ行ｊ列の画素電極１１８は、電
圧＋（Ｖs＋ＫΔＶ1）となる。ここで、Ｋ＝Ｃhld／（Ｃpix＋Ｃhld）である。
一方、偶数（ｉ＋１）行目が選択されて、走査信号Ｙ（ｉ＋１）がＨレベルとなったと
きにｊ列目のデータ信号Ｘｊが負極性の電圧−Ｖsであったとする。偶数（ｉ＋１）行目
が選択されたときに（ｉ＋１）行目の容量線１３２は電圧＋Ｖh1であり、その選択が終了
すると、電圧−Ｖh1に変化する。このため、（ｉ＋１）行ｊ列の画素電極１１８は、電圧
−（Ｖs＋ＫΔＶ1）となる。
【００６１】
ｎフレームの期間Ｈbにおいて１〜３２０行目の走査線がすべて選択されると、期間Ｈa
に至り、奇数ｉ行目の容量線１３２は、電圧＋Ｖh1から電圧＋Ｖh2に下降する。この変化
の電圧差をΔＶ2（＝｜Ｖh 1−Ｖh2｜）としたとき、ｉ行ｊ列の画素電極１１８は、電圧
｛Ｖs＋Ｋ（ΔＶ1−ΔＶ2）｝となる。
一方、ｎフレームの期間Ｈaにおいて、偶数（ｉ＋１）行目の容量線１３２は、電圧−
Ｖh1から電圧−Ｖh2に上昇するので、（ｉ＋１）行ｊ列の画素電極１１８は、電圧−｛Ｖ
s＋Ｋ（ΔＶ1−ΔＶ2）｝となる。
なお、次の（ｎ＋１）フレームでは、ｎフレームにおける偶数行と奇数行との関係を逆
転した関係となる。
【００６２】
第３実施形態において、期間Ｈaにおける電圧｛Ｖs＋Ｋ（ΔＶ1−ΔＶ2）｝が階調に応
じた正極性電圧となるように、また、電圧−｛Ｖs＋Ｋ（ΔＶ1−ΔＶ2）｝が階調に応じ
た負極性電圧となるように、電圧±Ｖh1、±Ｖh2を設定する。
なお、第１および第２実施形態では、期間Ｈbにおいて例えばｉ行目の選択時に供給さ
れるデータ信号Ｘｊの電圧＋Ｖseg、−Ｖsegの絶対値は、その後の期間Ｈaにおいてｉ行
ｊ列の画素容量に保持される電圧と一致するのに対し、第３実施形態では、ｉ行目の選択
時に供給されるデータ信号Ｘｊの電圧＋Ｖs、−Ｖsの絶対値は、その後の期間Ｈaにおい
てｉ行ｊ列の画素容量に保持される電圧とは一致しないことになるが、ｉ行ｊ列の画素の
階調に応じた電圧ということはできる。
くわえて、期間Ｈbにおいて走査線の選択終了後の画素電極１１８は、正極性書込が指
定されていれば電圧（Ｖs＋ＫΔＶ1）であり、負極性書込が指定されていれば電圧−（Ｖ
s＋ＫΔＶ1）であるから、このときに画素１１０が黒潜像表示となるように電圧ＫΔＶ1
を設定する。
【００６３】
これにより、第３実施形態においても、第２実施形態と同様に、走査線反転とした上で
、各画素１１０が、期間Ｈbにおいて黒潜像表示となり、期間Ｈaにおいて階調に応じた透
過率となる実像表示となる。
さらに、第３実施形態では、１フレームの期間における電圧切り替わり回数は、共通電
極１０８については電位Ｃntで一定であるからゼロであり、１〜３１９行目の容量線１３
２については、期間Ｈbの最初、走査線選択終了後および期間Ｈaの最初で切り替わるから
３回であり、３２０行目の容量線１３２については、走査線選択終了と期間Ｈaの最初が
同時であるから、他の行と比較して１回少ない２回である。このため、第３実施形態によ
れば、第２実施形態と比較して、電圧切り替えに伴って寄生容量により無駄に消費される
電力等を抑えることも可能となる。
また、第３実施形態によれば、共通電極１０８は、すべての画素１１０にわたって共通
で済み、第２実施形態の応用・変形（図１１参照）のように、奇数行と偶数行とにわける
必要もないので、パターニングが省略され、その分、製造工程を簡略化することも可能で
ある。
【００６４】
＜第３実施形態の応用・変形＞
以上の説明において、容量線駆動回路１５０によって出力される容量信号Ｈld1〜Ｈld3
20の電圧波形についてのみ説明した。そこで、このような容量線駆動回路１５０の具体的
な構成の一例について説明する。なお、この一例は、容量線駆動回路１５０を素子基板に
形成した構成とする場合に好適である。
【００６５】
図１５は、第３実施形態における容量線駆動回路１５０の構成を示す図であり、図１６
は、制御回路２０が容量線駆動回路１５０に供給する信号Ｖc1〜Ｖc5の電圧波形を示す図
である。
図１５に示されるように、容量線駆動回路１５０は、１〜３２０行目の容量線１３２に
対応してＴＦＴ１５１〜１５５の組を有する。
ここで、奇数ｉ行目のＴＦＴ１５１については、そのゲート電極がｉ行目の走査線１１
２に接続され、そのソース電極が、信号Ｖc1が供給される信号線１６１に接続されている
。奇数ｉ行目のＴＦＴ１５２は、そのゲート電極がｉ行目のＴＦＴ１５４のドレイン電極
に接続され、そのソース電極が、信号Ｖc2が供給される信号線１６２に接続されている。
また、ｉ行目のＴＦＴ１５３は、そのゲート電極がｉ行目のＴＦＴ１５５のドレイン電極
に接続され、そのソース電極が、信号Ｖc3が供給される信号線１６３に接続されている。
そして、ｉ行目のＴＦＴ１５２、１５３のドレイン電極同士が、ＴＦＴ１５１のドレイン
電極とともに、ｉ行目の容量線１３２に接続されている。
一方、ｉ行目のＴＦＴ１５４については、そのゲート電極が（ｉ＋１）行目の走査線１
１２に接続され、そのソース電極が、信号Ｖc4が供給される信号線１６４に接続されてい
る。ｉ行目のＴＦＴ１５５については、そのゲート電極が（ｉ＋１）行目の走査線１１２
に接続され、そのソース電極が、信号Ｖc5が供給される信号線１６５に接続されている。
なお、偶数（ｉ＋１）行目については、ＴＦＴ１５４、１５５のソース電極の接続先が
奇数ｉ行目と入れ替わっており、ＴＦＴ１５４のソース電極が信号線１６５に接続され、
ＴＦＴ１５５のソース電極が信号線１６４に接続されている。偶数（ｉ＋１）行目の他の
部分については奇数ｉ行目と同様である。
【００６６】
次に、信号Ｖc1は、ｎフレームにおいて奇数行が選択されるときに電圧−Ｖh1となり、
偶数行が選択されるときに電圧＋Ｖh1となる一方、（ｎ＋１）フレームにおいて奇数行が
選択されるときに電圧＋Ｖh1となり、偶数行が選択されるときに電圧−Ｖh1となる。
信号Ｖc2は、各フレームの期間Ｈbにおいて電圧＋Ｖh1となり、期間Ｈaにおいて電圧＋
Ｖh2となる。信号Ｖc3は、各フレームの期間Ｈbにおいて電圧−Ｖh1となり、期間Ｈaにお
いて電圧−Ｖh2となる。
信号Ｖc4は、ｎフレームにおいてオン電圧となり、（ｎ＋１）フレームにおいてオフ電
圧となる。反対に信号Ｖc5は、ｎフレームにおいてオフ電圧となり、（ｎ＋１）フレーム
においてオン電圧となる。なお、オン電圧とは、ＴＦＴ１５２、１５３のゲート電極に印
加されたときに当該ＴＦＴ１５２、１５３をオンさせる選択電圧であり、オフ電圧とは、
ＴＦＴ１５２、１５３のゲート電極に印加されたときに当該ＴＦＴ１５２、１５３をオフ
させる非選択電圧である。
【００６７】
このような構成において、ｎフレームにおいて奇数ｉ行目が選択されたとき、ｉ行目の
ＴＦＴ１５１がオンするので、ｉ行目の容量線１３２は信号Ｖc1の電圧−Ｖh1となる。
次にｉ行目の選択が終了して（ｉ＋１）行目が選択されると、ｉ行目のＴＦＴ１５４、
１５５がオンするので、ｉ行目のＴＦＴ１５２、１５３のゲート電極には、それぞれオン
電圧、オフ電圧が印加されて、当該ＴＦＴ１５２、１５３がそれぞれオン、オフする。一
方、ｉ行目のＴＦＴ１５１はオフする。このため、ｉ行目の容量線１３２は、信号Ｖc2の
電圧＋Ｖh1となる。
（ｉ＋１）行目の選択が終了すると、ｉ行目のＴＦＴ１５４、１５５がオフするが、ｉ
行目のＴＦＴ１５２、１５３のゲート電極には、それぞれ直前状態のオン電圧、オフ電圧
が寄生容量によって保持されるので、当該ＴＦＴ１５２、１５３のオン、オフ状態が継続
する。このため、ｉ行目の容量線１３２は、期間Ｈaにおいて信号Ｖc2の電圧＋Ｖh2とな
り、（ｎ＋１）フレームの期間Ｈbの最初からｉ行目の選択が終了するまで信号Ｖc2の電
圧＋Ｖh1となる。
なお、（ｎ＋１）フレームにおけるｉ行目の選択期間では、ＴＦＴ１５１、１５２の双
方がオンするが、この選択期間において信号Ｖc1、Ｖc2は、いずれも電圧+Ｖh1であるか
ら無問題である。
【００６８】
一方、ｎフレームにおいて偶数（ｉ＋１）行目が選択されたとき、（ｉ＋１）行目のＴ
ＦＴ１５１がオンするので、（ｉ＋１）行目の容量線１３２は信号Ｖc1の電圧＋Ｖh1とな
る。（ｉ＋１）行目の選択が終了して（ｉ＋２）行目が選択されると、（ｉ＋１）行目の
ＴＦＴ１５４、１５５がオンするので、（ｉ＋１）行目のＴＦＴ１５２、１５３のゲート
電極には、それぞれオフ電圧、オン電圧が印加されて、それぞれオフ、オンする。一方、
（ｉ＋１）行目のＴＦＴ１５１はオフする。このため、（ｉ＋１）行目の容量線１３２は
、信号Ｖc3の電圧−Ｖh1となる。（ｉ＋２）行目の選択が終了すると、（ｉ＋１）行目の
ＴＦＴ１５４、１５５がオフするが、（ｉ＋１）行目のＴＦＴ１５２、１５３のゲート電
極には、それぞれ直前状態のオフ電圧、オン電圧が寄生容量によって保持されるので、当
該ＴＦＴ１５２、１５３のオフ、オン状態が継続する。このため、（ｉ＋１）行目の容量
線１３２は、期間Ｈaにおいて信号Ｖc3の電圧−Ｖh2となり、（ｎ＋１）フレームの期間
Ｈbの最初から（ｉ＋１）行目の選択が終了するまで信号Ｖc3の電圧−Ｖh1となる。
なお、（ｎ＋１）フレームにおける（ｉ＋１）行目の選択期間では、ＴＦＴ１５１、１
５３の双方がオンするが、この選択期間において信号Ｖc1、Ｖc2は、いずれも電圧−Ｖh1
であるから無問題である。
【００６９】
また、奇数ｉ行目における（ｎ＋１）フレームでの選択期間以降の動作は、偶数（ｉ＋
１）行目におけるｎフレームでの選択期間以降の動作と同様であり、偶数（ｉ＋１）行目
における（ｎ＋１）フレームでの選択期間以降の動作は、奇数ｉ行目におけるｎフレーム
での選択期間以降の動作と同様である。
【００７０】
したがって、図１５に示される容量線駆動回路１５０に、図１６に示されるような信号
Ｖc1〜Ｖc5を制御回路２０が供給することによって、各行の容量信号Ｈld1〜Ｈld320を図
１４に示されるような電圧波形とすることができる。
【００７１】
なお、各実施形態では、画素容量１２０として画素電極１１８と共通電極１０８とでＯ
ＣＢ液晶１０５を挟持した構成としたが、応答速度が速いのであれば、他の液晶を用いて
も良い。また、画素容量１２０は透過型に限られず、反射型であっても良いし、透過型お
よび反射型の両者を組み合わせた、いわゆる半透過半反射型としても良い。
くわえて、Ｒ（赤）、Ｇ（緑）、Ｂ（青）の３画素で１ドットを構成して、カラー表示
を行うとしても良いし、さらに、例えばＧを、ＹＧ（黄緑）およびＥＧ（エメラルドグリ
ーン）に分けて、これらの４色の画素で１ドットを構成して、広色帯化を図った構成とし
ても良い。
【００７２】
＜電子機器＞
次に、上述した実施形態に係る電気光学装置１０を表示装置として有する電子機器につ
いて説明する。図１７は、いずれかの実施形態に係る電気光学装置１０を用いた携帯電話
１２００の構成を示す図である。
この図に示されるように、携帯電話１２００は、複数の操作ボタン１２０２のほか、受
話口１２０４、送話口１２０６とともに、上述した電気光学装置１０を備えるものである
。なお、電気光学装置１０のうち、表示領域１００に相当する部分の構成要素については
外観としては現れない。
【００７３】
なお、電気光学装置１０が適用される電子機器としては、図１７に示される携帯電話の
他にも、デジタルスチルカメラや、ノートパソコン、液晶テレビ、ビューファインダ型（
またはモニタ直視型）のビデオレコーダ、カーナビゲーション装置、ページャ、電子手帳
、電卓、ワードプロセッサ、ワークステーション、テレビ電話、ＰＯＳ端末、フォトスト
レージビューワ、タッチパネルを備えた機器等などが挙げられる。そして、これらの各種
電子機器の表示装置として、上述した電気光学装置１０が適用可能であることは言うまで
もない。
【図面の簡単な説明】
【００７４】
【図１】本発明の第１実施形態に係る電気光学装置の構成を示す図である。
【図２】同電気光学装置における画素の構成を示す図である。
【図３】同電気光学装置の動作を説明するための図である。
【図４】同気光学装置による表示を示す図である。
【図５】同気光学装置における電圧−透過率特性を示す図である。
【図６】第１実施形態の応用・変形例に係る動作を示す図である。
【図７】第１実施形態の応用・変形例に係る動作を示す図である。
【図８】応用・変形例による表示を示す図である。
【図９】本発明の第２実施形態に係る電気光学装置の構成を示す図である。
【図１０】同電気光学装置の動作を説明するための図である。
【図１１】第２実施形態の応用・変形例に係る電気光学装置の構成を示す図である。
【図１２】応用・変形例に係る電気光学装置の動作を示す図である。
【図１３】本発明の第３実施形態に係る電気光学装置の構成を示す図である。
【図１４】同電気光学装置の動作を説明するための図である。
【図１５】同電気光学装置における容量線駆動回路の一例を示す図である。
【図１６】同電気光学装置における信号波形を示す図である。
【図１７】実施形態に係る電気光学装置を用いた携帯電話を示す図である。
【図１８】従来の技術に係る電気光学装置による表示を示す図である。
【符号の説明】
【００７５】
１０…電気光学装置、２０…制御回路、１００…表示領域、１０５…液晶、１０８…共通
電極、１１０…画素、１１２…走査線、１１４…データ線、１１６…ＴＦＴ、１２０…画
素容量、１３０…蓄積容量、１３２…容量線、１４０…走査線駆動回路、１５０…容量線
駆動回路、１７０…共通電極駆動回路、１２００…携帯電話
【図１】
0004631917.tif 000002
【図２】
0004631917.tif 000003
【図３】
0004631917.tif 000004
【図４】
0004631917.tif 000005
【図５】
0004631917.tif 000006
【図６】
0004631917.tif 000007
【図７】
0004631917.tif 000008
【図８】
0004631917.tif 000009
【図９】
0004631917.tif 000010
【図１０】
0004631917.tif 000011
【図１１】
0004631917.tif 000012
【図１２】
0004631917.tif 000013
【図１３】
0004631917.tif 000014
【図１４】
0004631917.tif 000015
【図１５】
0004631917.tif 000016
【図１６】
0004631917.tif 000017
【図１７】
0004631917.tif 000018
【図１８】
0004631917.tif 000019